(57)【要約】【課題】衝撃力や、大きな力が掃除機本体に加わっても、集塵性能を維持しながら、低騒音な掃除機を提供すること。【解決手段】塵埃を吸引する電動送風機と、塵埃を捕塵する集塵室と、前記電動送風機を内蔵するモータケースと、前記モータケースを収納する電動送風機室と、前記集塵室と前記電動送風機室を仕切る隔壁と、前記集塵室および前記電動送風機室が内側に形成されている掃除機本体を有する電気掃除機において、前記電動送風機を前記モータケースに防振支持する電動送風機用防振材と、前記モータケースを掃除機本体に支持するモータケース用防振材を備えることを特徴とする電気掃除機。【選択図】図１
2010075446.tif 000002
【特許請求の範囲】
【請求項１】
塵埃を吸引する電動送風機と、塵埃を捕塵する集塵室と、前記電動送風機を内蔵するモータケースと、前記モータケースを収納する電動送風機室と、前記集塵室と前記電動送風機室を仕切る隔壁と、前記集塵室および前記電動送風機室が内側に形成されている掃除機本体を有する電気掃除機において、
前記電動送風機を前記モータケースに防振支持する電動送風機用防振材と、前記モータケースを掃除機本体に支持するモータケース用防振材を備えることを特徴とする電気掃除機。
【請求項２】
請求項１記載の電気掃除機にあって、
前記掃除機本体は、上下方向に合わさる上本体ケースと下本体ケースを有し、
前記モータケース用防振材は、前記モータケースを上本体ケース側に防振支持する上側モータケース用防振材と、前記モータケースを下本体ケース側に防振支持する下側モータケース用防振材を有することを特徴とする電気掃除機。
【請求項３】
請求項１記載の電気掃除機にあって、
前記電動送風機用防振材は、前記電動送風機の前記集塵室側を防振支持する集塵室側電動送風機用防振材と、前記集塵室側の反対側を防振支持する集塵室反対側電動送風機用防振材を有することを特徴とする電気掃除機。
【請求項４】
請求項１記載の電気掃除機にあって、
前記モータケースから排出される排気を誘導する排気流路を備え、
前記モータケース用防振材は、前記排気流路を構成する排気流路部材と前記モータケースの間に介在する排気流路用気密防振材を含むことを特徴とする電気掃除機。
【請求項５】
請求項１記載の電気掃除機にあって、
前記モータケース用防振材が前記電動送風機の回転にともなう回転方向の力を阻止するように配置されたことを特徴とする電気掃除機。
【請求項６】
請求項５記載の電気掃除機にあって、
前記モータケース用防振材は、前記電動送風機の回転軸長手方向を横切る平面上に配置されたことを特徴とする電気掃除機。
【発明の詳細な説明】
【技術分野】
【０００１】
本発明は、電動送風機を内蔵する電気掃除機に関する。
【背景技術】
【０００２】
電動送風機を内蔵する電気掃除機では、電動送風機の振動が掃除機本体の外壁に伝搬する。掃除機本体の外壁の振動は空気の振動になり、騒音を発生する。この問題を解決するため、電動送風機から掃除機本体の外壁に至る振動の伝搬経路に防振材を配置し、電動送風機を防振支持することで、掃除機本体の振動を低減し、騒音低減を図る構成をとっている。
【０００３】
特許文献１に示すように、送風機と隔壁間をセンタサポートシール（防振材）で支持し、重心付近をばねで支持することにより、送風機の振動音を低減したものが考案されている。
【０００４】
【特許文献１】特開２００１−２０４６５５号公報
【発明の開示】
【発明が解決しようとする課題】
【０００５】
従来技術は、掃除機本体が、家具等への衝突や、掃除機本体の横転といった衝撃力が作用したときに、電動送風機の位置がずれ、電動送風機の集塵室側の気密を兼ねた防振材の位置がずれ、集塵性能が低下したり、防振効果が落ちて騒音が大きくなってしまう課題があった。
【０００６】
また、特許文献１に示すように、重心付近をばねで支持し、吸気口付近を防振材で支持する支持構造では、静的条件や、定常振動等で支持するときには適している。しかし、掃除機本体に上記のような衝撃力が加わったとき、吸気口付近の防振材の位置がずれ、電動送風機と集塵室の気密が保てず、集塵性能が低下する課題があった。また、防振材が変形することにより、防振効果が低下し、騒音が大きくなる課題があった。
【０００７】
本発明の目的は、低騒音な掃除機を提供することにある。
【課題を解決するための手段】
【０００８】
本発明は、塵埃を吸引する電動送風機と、塵埃を捕塵する集塵室と、前記電動送風機を内蔵するモータケースと、前記モータケースを収納する電動送風機室と、前記集塵室と前記電動送風機室を仕切る隔壁と、前記集塵室および前記電動送風機室が内側に形成されている掃除機本体を有する電気掃除機において、前記電動送風機を前記モータケースに防振支持する電動送風機用防振材と、前記モータケースを掃除機本体に支持するモータケース用防振材を備えることを特徴とする。
【発明の効果】
【０００９】
本発明によれば、低騒音な掃除機を提供できる。
【発明を実施するための最良の形態】
【００１０】
本発明の実施形態に関し、以下に説明する。
【実施例１】
【００１１】
本発明の一実施の形態例を、以下に示す図を参照して説明する。図１は、電気掃除機本体の、電動送風機の回転軸と上本体ケース、下本体ケースを通過する平面の断面図である。図２は、電気掃除機の外観斜視図である。図３は、図２に示す、電気掃除機本体の上本体ケース、ミドルケースを分解した、分解斜視図である。図４は、図１に示す、モータケース部の拡大図である。図５は、図３に示す、電動送風機室の分解斜視図である。図６は、図４に示す、モータケース部の吸気口側からの外観斜視図である。
【００１２】
図２に示す掃除機本体１は、電動送風機３０を内蔵し、前部に塵埃を集塵する集塵室１２を備える。ホース２は前記掃除機本体１の前記集塵室１２に接続され、柔軟に可動するように形成される。手元操作部３は、前記ホース２を介して前記掃除機本体１と接続され、前記掃除機本体１や、吸口５を制御するスイッチを有し、延長管４を介して前記吸口５との流路を形成し接続される。前記吸口５は、掃除面に吸引口（図示せず）を有し、掃除面の塵埃を吸引し、前記延長管４、前記手元操作部３、前記ホース２内部の流路を介して、前記掃除機本体１の前記集塵室１２と接続される。前記延長管４には、前記吸口５に電気を供給する給電線（図示せず）が内蔵されている。
【００１３】
電気掃除機は、前記電動送風機３０を駆動した際の吸引力により、前記吸口５から空気とともに塵埃を吸い込み、吸い込んだ空気と塵埃を前記延長管４と前記手元操作部３と前記ホース２を介して前記掃除機本体１に吸い込ませ、前記集塵室１２に装着された集塵袋１５で塵埃を捕塵する。前記集塵袋１５で捕塵されなかった微細な塵埃は、モータケース部９排気口に設置されたフィルタ３７で捕塵され、空気は前記掃除機本体１外に排気される。
【００１４】
また、前記掃除機本体１の側面には走行車輪１１、下面には案内車輪（図示せず）を備え、移動用とし、掃除の際、作業者は移動に伴い、前記ホース２でけん引することにより前記掃除機本体１を移動させることが可能である。さらに、上本体ケース６の上部にはハンドル１４が取り付けられており、作業者は、前記掃除機本体１を持ち運ぶことができる。
【００１５】
図１及び、図３に示すように、前記掃除機本体１は、前記上本体ケース６、集塵蓋７、下本体ケース８で外郭を形成する。前記集塵室１２は、前記下本体ケース８と前記集塵蓋７から形成される。電動送風機室１３は、前記下本体ケース８と前記上本体ケース６から形成される。
【００１６】
前記集塵室１２内には、前述した、空気とともに吸引した塵埃を捕塵する前記集塵袋１５が着脱可能に装着される。前記集塵室１２の下流側には、前記電動送風機室１３が配置される。前記集塵蓋７は、開閉可能なように前記上本体ケース６に取り付けられている。前記集塵袋１５は紙、布、プラスチック材等の不織布等で構成された袋部材１７と、開口部１６を有した厚紙やプラスチック等で構成された口板１８、とを備える。なお、逆止弁１９は、前記袋部材１７に溜まった塵埃が、前記集塵袋１５に設けた開口部１６から前記ホース２に設けた接続部側へ逆流することを防ぐように機能する。
【００１７】
ホース接続口部２２に差し込んだ前記ホース２の接続部と、前記逆止弁１９と一体になった弾性体シール部材とは密着しており、前記逆止弁１９が開くと前記集塵袋１５に設けた前記開口部１６を通じて、含塵空気流が前記袋部材１７内に流入する。ここで前記逆止弁１９と一体となった弾性体シール部材は、前記集塵袋１５に設けた前記口板１８に密着して、塵埃がこぼれない作用も有している。
【００１８】
前記下本体ケース８には、前記集塵室１２と前記電動送風機室１３を区画する中央区画壁２０が配置されており、前記中央区画壁２０は前記集塵袋１５を通過した空気流を前記電動送風機３０へ連通させるため格子状流通口２１を有している。
【００１９】
前記集塵袋１５と前記電動送風機３０の間には、保護フィルタ（図示せず）が設けられるとともに、除塵ユニット２３を配置している。
【００２０】
前記集塵袋１５は、塵埃を含んだ空気の流れを通過させ、塵埃を空気と分離し捕塵する。捕塵の際、前記集塵袋１５の前記袋部材１７はしだいに目詰まりをおこす。そこで、前記除塵ユニット２３が作動して前記集塵袋１５を振動させることで、前記袋部材１７の目詰まりをおこした塵埃をふるい落とし目詰まりを解消し、前記集塵袋１５の空気の流路を回復させることで、前記集塵袋１５の交換期間を長くさせることができる。
【００２１】
前記電動送風機３０に対して、前記集塵室１２側を前、前記電動送風機室１３側を後、前記モータケース部９の前記フィルタ３７を装着する面を上、前記フィルタ３７の前記電動送風機３０を挟んで反対側を下、前記掃除機本体１を上方向から前記集塵室１２を上側にしたときの、コードリール２４側を左、電動送風機側３０を右とする。
【００２２】
前記上本体ケース６と前記下本体ケース８から形成される前記電動送風機室１３は、電流を供給する前記コードリール２４、前記電動送風機３０を内蔵する前記モータケース部９、前記モータケース部９からの排気流路を形成するミドルケース１０（排気流路部材）を内蔵する。
【００２３】
図４に示すように、前記モータケース部９は前記電動送風機３０を内蔵し、前記電動送風機３０を覆う前記モータケース２８、前記電動送風機３０の後部を防振支持する防振キャップ３３（電動送風機用防振材）、前記電動送風機３０のファン部３２の円周を覆う防振ゴム３４（電動送風機用防振材）、前記モータケース部９の排気口に取り付けられる前記フィルタ３７、前記防振ゴム３４と前記電動送風機３０の間に設けられ前記電動送風機３０の吸気口３５に連通する開口部を有するベルマウス３６、固定部材４０の下で前記モータケース部９を支持するばね２９（モータケース用防振材）、前記防振ゴム３４の下面で前記モータケース部９を支持する防振部材３９（モータケース用防振材）、前記フィルタ３７の下面で放電する放電電極３８で構成される。
【００２４】
前記電動送風機３０は、電動機部３１と前記防振キャップ３３を介して前記モータケース２８に支持され、さらに、前記防振ゴム３４を介して前記モータケース２８に支持される。加振源である前記電動送風機３０は、前記防振ゴム３４を介して前記モータケース２８に支持され、さらに前記防振部材３９を介して下本体ケース８に支持される二重の防振支持構造が採られている。よって、前記モータケース２８への振動は低減される。
【００２５】
前記モータケース２８内には前記電動機部３１の周囲を取り囲むように吸音材（図示せず）が設けられ、前記電動送風機３０からの高周波の耳障りな騒音を低減している。
【００２６】
また、前記フィルタ３７は略四角形状をしており、前後、左右方向で形成される平面に対して傾斜して固定される。これにより、前記集塵袋１５で取り除けなかった塵埃を、前記フィルタ３７で取り除き、清浄な空気を前記掃除機本体１外に排出している。ところで、流路に対して前記フィルタ３７が傾斜しているのは断面積を確保するためであり、前記フィルタ３７の面積を確保することで、圧力損失を低減することができ、目詰まりを起こしにくく、電気掃除機の吸引力を持続させることができる。
【００２７】
また、前記掃除機本体１は、前記電動機部３１の排気口と前記フィルタ３７との間に形成された空間に前記放電電極３８を備えている。
【００２８】
前記放電電極３８は、前記電動機部３１の排気口からの排気に含まれる塵埃を帯電させる機能を有し、ハケ状電極（図示せず）と、板状電極（図示せず）とが所定の間隔を空けて配置されて構成されている。また、前記放電電極３８は、前記モータケース２８に設けられた固定部（図示せず）を介して取り付けられている。この固定部（図示せず）は、合成樹脂などで板状に形成され、前記放電電極３８が前記フィルタ３７下の中央寄りに位置するように構成されている。また、前記放電電極３８に流速の速い排気が直接に当たることがないように、吸音板（図示せず）が前記放電電極３８の下部に位置するように設けられている。この吸音板（図示せず）は通気性を有し、前記電動送風機３０の排気を通過させつつ、前記電動送風機３０の音を低減し、低騒音な掃除機を提供することができる。
【００２９】
図５に示すように前記モータケース部９は、前記電動送風機室１３に収められ、上から前記ミドルケース１０で支持される。前記中央区画壁２０の前記電動送風機室１３側には、前記格子状流通口２１を囲うように前記中央区画壁２０と垂直に設けられた円環状リブ２５が設けられる。前記モータケース部９と前記円環状リブ２５は、前記防振ゴム３４を介して密着して支持される。
【００３０】
前記防振ゴム３４は、防振材として作用し、前記電動送風機３０からの振動を低減し、前記中央区画壁２０に伝える。また、前記防振ゴム３４は、気密材としても働き、前記集塵室１２から連通する前記電動送風機３０の吸気口３５までの流路を形成する。そのため、前記電動送風機の吸引力を確保できる。
【００３１】
また、前記集塵袋１５で捕塵できなかった塵埃は、動作が停止しているときには前記集塵室１２から吸気口３５までの上記流路に堆積する。堆積した塵埃は、前記防振ゴム３４と前記円環状リブ２５の気密が保たれないと直接前記電動送風機室１３を介して前記掃除機本体１外に漏れ、排気を汚染する可能性がある。
【００３２】
これも、前記防振ゴム３４の気密が保たれていれば、前記フィルタ３７を塵埃が通過するため清浄な空気が前記掃除機本体１外にさせることができる。
【００３３】
前記中央区画壁２０と前記下本体ケース８の下面がなす角部には、前記モータケース部９を支持する支持リブ２６が設けられている。
【００３４】
前記下本体ケース８は、前記防振部材３９を介して前記モータケース部９を前記支持リブ２６に防振支持するとともに、前記ばね２９を介して前記モータケース部９は前記下本体ケース８に設けられたボス２７に防振支持する。
【００３５】
前記固定部材４０は、前記電動送風機３０の回転軸を含む、前後、左右方向をなす平面上を前記モータケース部９の後側に伸び、回転軸に軸対称に２本配置されている。前記ばね２９により、前記電動送風機３０のアンバランスによる振動や、前記電動機部３１で発生する電磁振動の伝搬が低減される。
【００３６】
前記ボス２７は、前記ばね２９の支持と、前後、左右方向の位置決めが容易になるため、組み立て性も向上する。
【００３７】
本実施例では、前記モータケース部９と前記ばね２９の接続、および前記ばね２９と前記下本体ケース８との接続にボス２７を用いているが、金属の金具を設置し、溶接等で固定してもよい。
【００３８】
図６に示すように、前記防振ゴム３４と前記防振部材３９は密着して配置され、前記防振部材３９は前記防振ゴム３４の曲率に沿う形状をしている。本実施例では、前記下本体ケース８から伸びる前記支持リブ２６は、前記防振ゴム３４と前記支持リブ２６の距離を均等にし、前記支持リブ２６に掛かる荷重を均等に分散するため５本配置をしている。これは、前記防振部材３９に荷重が集中し大変形することにより、塑性領域で使われることを防止するためである。
【００３９】
また、前記防振部材３９は前記支持リブ２６で支持されるため、見かけ上の弾性係数を小さくし、防振効果を高めることができる。
【００４０】
また、前記中央区画壁２０からの前記支持リブ２６は、前記電動送風機３０の回転軸と含む、前後、上下方向をなす面に対して、対称に配置されている。これは、前記電動送風機３０の設置性を考慮し、支持を容易にするためである。
【００４１】
本実施例では、５本の前記支持リブ２６を均等に配置しているが、同一平面上に回転軸を含む、前後、上下方向をなす面に対称であれば、５本以上でも以下でもかまわない。
【００４２】
前記ミドルケース１０は、前記下本体ケース８と固定されている。
【００４３】
図４に示すように、防振ゴムパッキン４１〔排気風路用気密防振材（モータケース用防振材）〕は、前記フィルタ３７のエッジ４２を覆うような形状をしており、前記ミドルケース１０は、前記モータケース部９を前記防振ゴムパッキン４１を介して防振支持する。これにより、前記モータケース部９の位置決めや、組み立て性を向上させ、落下や衝突などの衝撃力で前記モータケース部９がずれることを防止している。
【００４４】
前記ミドルケース１０は前記モータケース部９と流路を形成し、流路には凹凸がない。そのため、流路内部の空気流れはスムースであるため損失を低減でき、流体音による騒音を低減することができる。
【００４５】
また、前記モータケース部９と前記ミドルケース１０の形成する流路の気密は保たれている。そのため、前記電動送風機３０からの騒音は、前記モータケース部９から前記ミドルケース１０へ漏れることなく伝搬させることが可能である。前記モータケース部９の開口と、前記ミドルケース１０内の流路は略９０度偏向する形状であり、騒音低減の目的で用いられる直角曲りダクトのような性質を持ち、前記電動送風機３０からの騒音を低減することができる。
【００４６】
また、前記ミドルケース１０は任意形状を取ることができるため、前記ミドルケース１０の前記モータケース部９から連通する流路の開口４３の位置を、前記電動送風機室１３の任意の位置とすることができる。したがって、前記電動送風機室１３は消音器を形成できる。
【００４７】
本実施例では、前記ミドルケース１０の曲り部は空胴で形成されているが、案内羽根を設置しても良い。案内羽根を設置することで、曲り部のはく離が抑制され、損失が低減されるため、仕事率の向上を見込むことができる。また、吸音材を設置し吸音ダクトにすることで直角曲りダクトの効果と吸音ダクトの効果を併せ持つことができ、前記電動送風機３０からの高周波音、および前記電動送風機３０と前記モータケース２８との間で発生する乱流音を低減することができる。
【００４８】
前記電動送風機室１３の支持動作について説明する。
【００４９】
前記掃除機本体１は、前記ファン部３２の羽根車の回転により空気を吸引し、前記集塵袋１５を通過した前記空気流れ１０１は、前記電動機部３１を通過冷却し、前記モータケース２８、前記フィルタ３７、前記ミドルケース１０、前記掃除機本体１内を経由して前記掃除機本体１外に排気される。
【００５０】
前記フィルタ３７は、前記集塵袋１５で捕塵できなかった塵埃と空気を分離する。
【００５１】
前記電動送風機３０の回転体にアンバランスがある場合、前記電動送風機３０は、振動を発生させる。前記電動送風機３０からの振動は、前記モータケース部９、前記電動送風機室１３へと伝搬する。
【００５２】
前記電動送風機３０の回転体のアンバランスに起因する振動には、送風機のアンバランスと電動機のアンバランスが同期しているものと非同期しているものがある。前記電動送風機３０の重心ではなく、重心を挟み、回転軸に対称に防振部材で支持し、かつ前記モータケース部９を支持することで、同期、非同期の振動を低減することができる。
【００５３】
前記集塵袋１５に塵埃が溜まっているとき、前記電動送風機３０の前記吸気口３５と前記集塵室１２を連通する流路の真空度が上がり、前記モータケース部９は、前方向に力を受けるが、前記ばね２９のせん断力と、前記防振ゴムパッキン４１の抗力により、前記モータケース部９の移動を防止している。
【００５４】
前記モータケース部９の移動を防止することにより、前記電動送風機３０に加わる前方向への力は減少する。しかし依然、モータケース部９に対して、前方向に吸引力による力、下方向に重力が作用する。その合力の方向は、前記電動送風機３０から前記支持リブ２６に向かう方向を向いている。そのため、前記防振部材３９は、この合力の方向に防振材を厚くするため、防振効果を高くすることができる。
【００５５】
また、電源が供給されたとき、回転起動時のトルクにより、前記電動送風機３０は回転方向に力を受ける。前記電動送風機３０は、回転方向の力を前記モータケース部９に伝達し、前記モータケース部９は、前記防振ゴムパッキン４１と回転軸に対称に２本配置した前記ばね２９で回転方向の力を支える。
【００５６】
また、前記掃除機本体１は、家具等に衝突や、横転、落下することがある。このようなとき、前記電動送風機の回転軸が移動しないように支持する必要がある。
【００５７】
前記電動送風機３０の上下方向、及び左右方向をなす軸まわりの回転方向は、前記防振ゴム３４、前記防振キャップ３３、前記防振ゴムパッキン４１、前記防振部材３９、前記ばね２９で支持している。
【００５８】
前記電動送風機３０の前後方向、左右方向、回転軸の周りの回転方向、及び上下方向をなす軸周りの回転方向は、前記防振ゴム３４、前記防振キャップ３３、前記防振ゴムパッキン４１、前記ばね２９で支持している。
【００５９】
このため、上下、左右、前後方向と回転運動が規制されるので、前記防振ゴム３４と前記円環状リブ２５との気密が保たれ、各部材の防振効果も確保される。
【００６０】
前記電動送風機３０と前記モータケース２８を防振支持し構成した前記モータケース部９が、前記電動送風機室１３に、上下方向から防振支持されることにより、前記電動送風機３０からの振動を、前記モータケース部９、前記電動送風機室１３に伝達する過程で低減し、前記掃除機本体１外壁の振動を低減させる。
【００６１】
前記ばね２９と前記防振ゴムパッキン４１は、前記モータケース部９の前側への移動を抑制する方向への力を発生させ、前記防振ゴム３４が吸引時に過大に変形し、弾性領域から逸脱することを防止している。前記防振ゴム３４は、円環状リブ２５に伝える振動が大きくなるのを防ぎ、前記モータケース部９の移動により前記防振ゴム３４と前記円環状リブ２５が離れ、吸引力の低下や、前記集塵袋１５で捕塵できなかった塵埃が漏れることを防止している。
【００６２】
また、掃除機の動作直後の始動回転トルクに伴う力で前記電動送風機３０や前記モータケース部９、各防振材やパッキンがずれる可能性があった。前記防振ゴムパッキン４１、前記ばね２９で支えることにより、前記モータケース部９がずれる心配はなく、吸引力の低下や異音の発生の心配がない。
【００６３】
さらに、前記電動送風機３０は、起動時振動周波数が低く、しだいに高い周波数になっていく。変位が大きいときには弾性係数を大きく、変位が小さいときには弾性係数が小さいような非線形ばねを使用すると、周波数の高い、振動レベルの大きい振動を防ぐ効果が大きくなる。
【００６４】
さらに、前記ばね２９は、同一平面上に回転軸を含む、前後、左右方向をなす平面で支えられており、前記ボス２７は前後方向に弾性支持、前記防振ゴムパッキン４１により左右方向を軸にした回転方向にも支持されていることから、同期、非同期の振動のみならず、空気の脈動を伴う前記電動送風機３０が前後する振動にも有効であり、低騒音な掃除機を提供することができる。
【００６５】
すなわち、前記ばね２９は、電動送風機３０の回転軸長手方向を横切る平面上に配置されてるので、前記電動送風機の回転にともなう回転方向の力を阻止するのに有効に作用する。
【００６６】
以上のような構成の電気掃除機にすることで、集塵性能を維持しながら、低騒音な掃除機を提供することができる。
【図面の簡単な説明】
【００６７】
【図１】電気掃除機本体の、電動送風機の同一平面上に回転軸を含む、上本体ケース、下本体ケースを通過する平面の断面図である。
【図２】電気掃除機の外観斜視図である。
【図３】図２に示す、電気掃除機本体の上本体ケース、ミドルケースを分解した、分解斜視図である。
【図４】図１に示す、モータケース部の拡大図である。
【図５】図３に示す、電動送風機室の分解斜視図である。
【図６】図４に示す、モータケース部の吸気口側からの外観斜視図である。
【符号の説明】
【００６８】
１…本体、２…ホース、３…手元操作部、４…延長管、５…吸口、６…上本体ケース、８…下本体ケース、９…モータケース部、１０…ミドルケース（排気流路部材）、１１…走行車輪、１２…集塵室、１３…電動送風機室、１５…集塵袋、２０…中央区画壁、２４…コードリール、２５…円環状リブ、２６…支持リブ、２７…ボス、２８…モータケース、２９…ばね（モータケース用防振材）、３０…電動送風機、３１…電動機部、３２…ファン部、３３…防振キャップ（電動送風機用防振材）、３４…防振ゴム（電動送風機用防振材）、３５…吸気口、３６…ベルマウス、３７…フィルタ、３８…放電電極、３９…防振部材（モータケース用防振材）、４０…固定部材、４１…防振ゴムパッキン〔排気風路用気密防振材（モータケース用防振材）〕、４２…エッジ。
【図１】
2010075446.tif 000003
【図２】
2010075446.tif 000004
【図３】
2010075446.tif 000005
【図４】
2010075446.tif 000006
【図５】
2010075446.tif 000007
【図６】
2010075446.tif 000008